(57)【特許請求の範囲】
【請求項１】
ヒートポンプ室外機を使用し、該ヒートポンプ室外機の冷媒配管系統に冷温水を生成する冷媒対水の熱交換機を連結し、該交換機により生成された冷水または温水を、床下に屈曲して配設された冷温水供給管に送水して、床パネルを冷却または加温すると共に、前記ヒートポンプ室外機の冷媒配管系統に空調室内機を連結して、該空調室内機からの冷風または温風を床下に送風して床パネルを冷却または加温し、床放射により室内を冷房または暖房するタイプの冷温水式床放射冷暖房装置に使用する床パネル装置であって、プラスチックより成るプレートの上面に、隅角部を湾曲面とすると共に、各側壁面の中央上端部に小半円状のストッパーをそれぞれ突設し、且つ内部に凹状の空洞部を備えた正方形状の突起を、前記冷温水供給管を互いに近接する突起間で挟持して装着固定できるような一定間隔を有して、千鳥状に複数列に亘って突設する一方、前記プレートの前記千鳥状に突設された各突起間には、床下のスラブに底面が接地するよう、深みのある凹部を備えた接地固定板がそれぞれ複数個垂設され、且つ前記接地固定板をスラブ上に接地すると、該スラブ上の各接地固定板間を、前記空調室内機により生成された冷風または温風の通風路となるようにして冷温水供給管の固定部材が形成される一方、前記突起および接地固定板を複数列に亘って設けた固定部材は、５０〜１００ｃｍの小巾の正方形に形成され、且つ該固定部材の４つの隅角部は、突起または接地固定板を設けることなく平面状とすると共に、前記固定部材の互いに相隣り合う二辺の最外方の列の突起および接地固定板を連結部とすると共に、該連結部以外の他の二辺の最外方の列の突起および接地固定板を被連結部とし、前記連結部のいずれか一辺の突起および接地固定板を、他の固定部材の被連結部のいずれか一辺の突起および接地固定板に重合固定して連結できるよう形成する一方、前記連結部を構成する各突起の空洞部の外径を、前記被連結部を構成する各突起の外径よりやや大径に形成する一方、前記連結部を構成する各接地固定板の内径を、前記被連結部を構成する各接地固定板の内径よりやや小径に形成して連結部がそれぞれ形成され、更に、前記固定部材の互いに近接する各突起の外側壁面に、ポリエチレンより成り柔軟性を有する冷温水供給管の外周面部を摺接して下方へ押圧することにより、前記ストッパーによって前記冷温水供給管の上方への離脱が阻止されて、該冷温水供給管が動揺することなく屈曲して挟着固定されると共に、該固定部材の上面には、前記各突起間に挟着固定された冷温水供給管を埋込む熱伝導性のよい被覆材が充填されて、該冷温水供給管は前記突起および凹部と共に埋め込まれて固定され、且つ該被覆材は床パネルによって被覆されるようにしたことを特徴とする冷温水式床放射冷暖房システムにおける床パネル装置。
【発明の詳細な説明】
【技術分野】
【０００１】
本発明は、ヒートポンプ室外機の冷媒配管系統に冷温水を生成する冷媒対水の熱交換機を連結し、該熱交換機により生成された冷水または温水を、床下に屈曲して配設された冷温水供給管に送水して、床パネルを冷却または加温すると共に、前記ヒートポンプ室外機の冷媒配管系統に空調室内機を連結して、前記空調室内機からの冷風または温風を床下に送風して、床パネルを冷却または加温して、床放射により室内を冷房または暖房する床冷暖房システムに使用する床パネル装置であって、前記冷温水供給管を自在な形状に、且つ簡単に配設することができ、更に前記冷温水供給管を床下に屈曲して配設する小巾の固定部材を、複数枚設置場所の大きさに合わせて簡単に連結することができる冷温水式床放射冷暖房システムにおける床パネル装置に関するものである。
【背景技術】
【０００２】
従来、冷温水式床冷暖房システムにおいて、冷温水供給管を床下に屈曲して設置する床パネル装置としては、下記特許文献１に記載された床パネル装置が公知である。
【先行技術文献】
【特許文献】
【０００３】
【特許文献１】特開平６−２６５１８０号公報
【発明の概要】
【発明が解決しようとする課題】
【０００４】
前記特許文献１記載の床パネル装置は、冷温水供給管を装着固定する固定手段として、窪みのある複数個の円錐台形の凹部を下面に垂設した下部プレートと、外側壁面に半円状凹部を備えた複数個の突起が、冷温水供給管を互いに近接する突起間で挟持して装着できる間隔で、複数列に亘って上面に突設された上部プレートとを連結固定して形成される上・下部プレートの分離タイプと、前記下部プレートと上部プレートとを分離することなく一体成形される非分離タイプのものが記載されている。そして、前記分離タイプの下部プレートの窪み内には補強体が嵌入されると共に、前記上部プレートは、突起間に冷温水供給管を装着した後、該冷温水供給管を埋め込むコンクリート等の被覆材を充填して形成されており、また非分離タイプのものは、前記分離タイプと異なり、窪み内には補強体が不要で、前記分離タイプで説明したコンクリート等の被覆材のみの充填で対応できる旨記載されている。
【０００５】
しかしながら、前記特許文献１記載の床パネル装置における分離タイプの固定手段は、下部プレートと上部プレートとを別々に製造した後、両者を連結固定して形成されているために製造に手間がかかり、その分コストが高くなるという課題があり、更に前記分離タイプ型および非分離タイプ型のいずれの固定手段も、外側壁面に半円状凹部を備えた突起が冷温水供給管を互いに近接する突起間で挟持するよう形成されているので、冷温水供給管は半円状凹部に外周面が単に摺接して挟持されているだけであって、該冷温水供給管を前記突起間から離脱することなく装着固定するという手段を備えていないため、前記上部プレートに前記冷温水供給管を埋込むコンクリート等の被覆材を充填して被覆する場合、該被覆材の重み、または充填圧力によって、あるいは冷温水供給管自体が屈曲するという本来的性質のために、該冷温水供給管が半円状凹部から離脱したり、前記冷温水供給管が折曲したり、または破損したりして、冷温水を正確に送水できないという課題があった。
【０００６】
本発明は、前記課題を解決すべくなされたものであって、ヒートポンプ室外機と熱交換機を連結し、該熱交換機によって生成された冷水または温水を床下に屈曲して配設されたポリエチレン製の冷温水供給管に送水して、床パネルを冷却または加温して床放射により室内を冷房または暖房する冷温水式床放射冷暖房システムにおいて、前記冷温水供給管が固定部材から離脱、または移動したりすることなく、確実にワンタッチで固定部材に装着固定することができ、その後は単に被覆材を充填するだけで、前記冷温水供給管が該固定部材に埋め込まれて固定され、更に、前記固定部材を、例えば９０ｃｍ巾の正方形の小巾の固定部材とし、該固定部材と互いに相隣り合う他の固定部材の一辺と重合して連結できるように、前記各固定部材の互いに相隣り合う二辺に連結部を設け、前記固定部材を多数施工現場へ搬送し、施工現場の広さに応じて、前記連結部を被連結部に重合固定して多数の固定部材を連結して行くことにより、如何なる広さの施工現場へも対応できるので、工期の短縮と製造コストの低減化を図ることができる冷温水式床放射冷暖房システムにおける床パネル装置を提供しようとするものである。
【課題を解決するための手段】
【０００７】
本発明は、ヒートポンプ室外機を使用し、該ヒートポンプ室外機の冷媒配管系統に冷温水を生成する冷媒対水の熱交換機を連結し、該交換機により生成された冷水または温水を、床下に屈曲して配設された冷温水供給管に送水して、床パネルを冷却または加温すると共に、前記ヒートポンプ室外機の冷媒配管系統に空調室内機を連結して、該空調室内機からの冷風または温風を床下に送風して床パネルを冷却または加温し、床放射により室内を冷房または暖房するタイプの冷温水式床放射冷暖房装置に使用する床パネル装置であって、プラスチックより成るプレートの上面に、隅角部を湾曲面とすると共に、各側壁面の中央上端部に小半円状のストッパーをそれぞれ突設し、且つ内部に凹状の空洞部を備えた正方形状の突起を、前記冷温水供給管を互いに近接する突起間で挟持して装着固定できるような一定間隔を有して、千鳥状に複数列に亘って突設する一方、前記プレートの前記千鳥状に突設された各突起間には、床下のスラブに底面が接地するよう、深みのある凹部を備えた接地固定板がそれぞれ複数個垂設され、且つ前記接地固定板をスラブ上に接地すると、該スラブ上の各接地固定板間を、前記空調室内機により生成された冷風または温風の通風路となるようにして冷温水供給管の固定部材が形成される一方、前記突起および接地固定板を複数列に亘って設けた固定部材は、５０〜１００ｃｍの小巾の正方形に形成され、且つ該固定部材の４つの隅角部は、突起または接地固定板を設けることなく平面状とすると共に、前記固定部材の互いに相隣り合う二辺の最外方の列の突起および接地固定板を連結部とすると共に、該連結部以外の他の二辺の最外方の列の突起および接地固定板を被連結部とし、前記連結部のいずれか一辺の突起および接地固定板を、他の固定部材の被連結部のいずれか一辺の突起および接地固定板に重合固定して連結できるよう形成する一方、前記連結部を構成する各突起の空洞部の外径を、前記被連結部を構成する各突起の外径よりやや大径に形成する一方、前記連結部を構成する各接地固定板の内径を、前記被連結部を構成する各接地固定板の内径よりやや小径に形成して連結部がそれぞれ形成され、更に、前記固定部材の互いに近接する各突起の外側壁面に、ポリエチレンより成り柔軟性を有する冷温水供給管の外周面部を摺接して下方へ押圧することにより、前記ストッパーによって前記冷温水供給管の上方への離脱が阻止されて、該冷温水供給管が動揺することなく屈曲して挟着固定されると共に、該固定部材の上面には、前記各突起間に挟着固定された冷温水供給管を埋込む熱伝導性のよい被覆材が充填されて、該冷温水供給管は前記突起および凹部と共に埋め込まれて固定され、且つ該被覆材は床パネルによって被覆されるという手段を採用することにより、上記課題を解決した。
【発明の効果】
【０００８】
前記構成より成る本発明によれば、ヒートポンプ室外機と熱交換機を連結し、該熱交換機によって生成された冷水または温水を床下に屈曲して配設されたポリエチレン製の冷温水供給管に送水して、床パネルを冷却または加温して床放射により室内を冷房または暖房する冷温水式床放射冷暖房システムにおいて、前記冷温水供給管が固定部材から離脱、または移動したりすることなく、確実にワンタッチで固定部材に装着固定することができ、その後は単に被覆材を充填するだけで、前記冷温水供給管が該固定部材に埋め込まれて固定され、更に、前記固定部材を、正方形の小巾の固定部材とし、該小巾の固定部材と互いに相隣り合う他の小巾の固定部材の一辺に重合して連結できるように、前記固定部材の互いに相隣り合う二辺の最外方の列の突起および接地固定板を連結部とすると共に、該連結部以外の他の二辺の最外方の列の突起および接地固定板を被連結部とすることにより、前記小巾の固定部材を多数施工現場へ搬送し、施工現場の広さに応じて、前記連結部を被連結部へ重合固定して連結して行くことにより、如何なる広さの施工現場へも対応できるので、工期の短縮と製造コストの低減化を図ることができるという優れた効果を奏することができる。
【図面の簡単な説明】
【０００９】
【図１】本発明床パネル装置を設置した冷温水式床放射冷暖房システムを示す全体の概略斜視図である。
【図２】本発明床パネル装置を使用する冷温水式床放射冷暖房システムを構成する熱交換機およびヘッダー部を示す概略正面図である。
【図３】本発明床パネル装置の固定部材の一部拡大斜視図である。
【図４】本発明床パネル装置の固定部材に冷温水供給管を設置した状態を示す一部拡大平面図である。
【図５】本発明床パネル装置の固定部材に冷温水供給管を設置した状態を示す一部の縦断面図である。
【図６】本発明床パネル装置を構成する小巾の固定部材の平面図である。
【図７】本発明床パネル装置を構成する小巾の固定部材を他の小巾の固定部材に重合固定する状態を説明する平面図である。
【図８】本発明床パネル装置を構成する小巾の固定部材を他の小巾の固定部材に重合固定した状態を示す一部の拡大縦断面図である。
【実施例】
【００１０】
本発明は、ヒートポンプ室外機を使用し、該ヒートポンプ室外機の冷媒配管系統に冷温水を生成する冷媒対水の熱交換機を連結し、該熱交換機により生成された冷水または温水を、床下に屈曲して配設された冷温水供給管に送水して、床パネルを冷却または加温すると共に、前記ヒートポンプ室外機の冷媒配管系統に空調室内機を連結して、該空調室内機からの冷風または温風を床下に送風して床パネルを冷却または加温して、床放射により室内を冷房または暖房するタイプの冷温水式床放射冷暖房装置における床パネル装置であって、前記冷温水供給管を床下に固定する床パネル装置に関するものである。
【００１１】
本発明冷温水式床放射冷暖房装置におけるパネル装置は、ヒートポンプ室外機と冷媒対水の熱交換機を使用し、該熱交換機によって生成された冷水または温水を床下に屈曲して配設する冷温水供給管に送水して、床パネルを冷却または加温して床放射により室内を冷房または暖房する冷温水式床放射冷暖房システムであれば、いずれの冷温水式床放射冷暖房システムにも使用することができるものである。
【００１２】
本発明パネル装置は、前記のように冷温水式床放射冷暖房システムであればいずれにも使用できるので、説明の都合上、下記構成より成る冷温水式床放射冷暖房システムに採用するものとして説明する。すなわち、本発明床パネル装置を使用する冷温水式床放射冷暖房システムは、図１に示すように、屋外に２台のヒートポンプ室外機を設置すると共に、該一方のヒートポンプ室外機からの冷媒往き配管の下流側に、冷媒対水の熱交換器を連結して、該熱交換機の２次側にヘッダーおよび冷温水供給管を介して床パネルへ冷水または温水を供給して、床放射により室内を冷房または暖房する床放射冷暖房装置と、前記他方のヒートポンプ室外機の冷媒往き配管の下流側に、室内に冷風または温風を送風する床下取付け型空調室内機を連結して、床下空間に冷風または温風を送風して床パネルを下方より冷房または暖房すると共に、前記床パネルに開口された吹き出し口より冷風または温風を室内に送風して、冷房または暖房する送風冷暖房装置とにより構成されている。
【００１３】
前記床冷暖房システムを構成する床放射冷暖房装置Ａおよび送風冷暖房装置Ｂは、小容量のヒートポンプ室外機１・２を使用するが、これらは、いずれも冷媒を使用するタイプの室外機である。そして、一方のヒートポンプ室外機１に上流側を連結した冷媒往き配管３の下流側が、冷媒対水の熱交換機４の上方に位置する冷媒流入口５に連結されると共に、前記熱交換機４の下方に位置する冷媒還流口６に上流側を連結した冷媒還り配管７の下流側が、前記一方のヒートポンプ室外機１に連結されている。
【００１４】
なお、前記冷媒対水の熱交換機４はビルや工場等の大規模施設で使用されている大型熱交換機ではなく、小型の熱交換機として現在汎用されている「冷媒用プレート型熱交換機」であれば、いずれも本発明システムに採用することができる。そして、特に限定する必要はないが、好ましくは、「株式会社鷺宮製作所」の製造に係り、商品名「ブレージングプレート式熱交換機」として販売されている「冷媒用プレート型熱交換機」を使用することが推奨される。
【００１５】
前記熱交換機４において、冷媒往き配管３の冷媒注入口５の上流側には、電子膨張弁８が設置されている。前記電子膨張弁８は、予め設定された水温や室温に達したときに、開閉弁を開閉して、冷媒の前記熱交換機４への送液を停止したり、または再開する機能を有するものである。
【００１６】
そして、前記熱交換機４の２次側の下方には、該熱交換機４内に注入口９から水を注水する往き送水管１０の下流側が連結されると共に、該往き送水管１０の上流側に往きヘッダー１１が連結固定され、更に、前記往きヘッダー１１には複数本の冷温水供給管１２の下流側がそれぞれ間隔を有して開口連通されると共に、前記往きヘッダー１１の上流側には膨張タンク１３が設置されている。
【００１７】
前記膨張タンク１３は、前記往きヘッダー１１に水を供給するための水を貯水する水タンクの役目を果すと共に、温水の生成時に水の温度が上昇して膨張するのを防止するため、空気を逃がす逃し弁の作用、すなわち安全弁の作用をも有している。なお、図２において、１４は、往き送水管１０に設置された循環ポンプで、該循環ポンプ１４により強制的に水を前記熱交換機４内に注入口９から水を注水することができるよう形成されている。
【００１８】
また、前記熱交換機４の２次側の上方には、該熱交換機４により生成された冷水または温水を還りヘッダー１５に送水する還り送水管１６の上流側が送水口１７に連結されると共に、該還り送水管１６の下流側は前記還りヘッダー１５に連結されている。
【００１９】
そして、前記往きヘッダー１１に下流側を開口連通された複数本の冷温水供給管１２は、室内１８の床パネル１９の下面に、該床パネル１９を冷却、または加温するため、後述する本発明における床パネル装置を構成する固定部材に屈曲して敷設されると共に、前記複数本の冷温水供給管１２の上流側が前記還りヘッダー１５に開口連結されている。
【００２０】
前記熱交換機３で生成された冷水、または温水は、往き送水管１０に設置された循環ポンプ１４により、強制的に前記還りヘッダー１５から複数本の屈曲して敷設された冷温水供給管１２に送水されて、床パネル１９の下面において、該冷温水供給管１２内に送水された後、前記往きヘッダー１１に流れ込んで、往き送水管９から熱交換機３に送水されて、再び冷水、または温水が生成され、還りヘッダー１５に流れ込み、再度前記複数本の冷温水供給管１２に送水されて、床パネル１９を冷却、または加温するという循環動作を繰返して、床放射により室内１８を冷暖房する床放射冷暖房装置Ａが形成されている。
【００２１】
一方、前記床冷暖房システムを構成する他方のヒートポンプ室外機２に上流側を連結した冷媒往き配管２０の下流側が、床パネル１９の下面のスラブ２１上に設置された床下取付け型空調室内機２２に連結されると共に、前記床下取付け型空調室内機２２に上流側を連結した冷媒還り配管２３の下流側が前記ヒートポンプ室外機２に連結されて、前記床下取付け型空調室内機２２により床パネル１９とスラブ２１間に冷風または温風を送風して、前記床パネル１９の下面より冷却または加温すると共に、該冷風または温風を前記床パネル１９に開口された吹き出し口２４より室内１８に送風して、該室内１８を送風により冷暖房する送風冷暖房装置Ｂが形成されている。
【００２２】
そして、前記構成より成る冷温水式床放射冷暖房システムにおいて、床パネル１９の下面に冷温水供給管１２を配設固定する本発明床パネル装置は、以下のように構成される。すなわち、ＰＶＣ、ＰＥＴ等のプラスチックより成るプレート２５の上面に、隅角部を湾曲面２６とすると共に、各側壁面２７の中央上端部に小半円状のストッパー２８をそれぞれ突設し、且つ内部に空洞部２９を備えた正方形状の突起３０が、前記冷温水供給管１２を互いに近接する突起３０間で挟持して装着固定できるような一定間隔を有して、千鳥状に複数列に亘って突設される一方、前記プレート２５の前記千鳥状に突設された各突起３０間には、床下のスラブ２１に底面が接地するよう、深みのある断面コップ状をした凹部３１を備えた接地固定板３２がそれぞれ複数個垂設されて、前記接地固定板３２をスラブ２１上に接地すると、該スラブ２１上の各接地固定板３２間を、前記床下取付け型空調室内機２２により生成された冷風または温風の通風路３３が形成できるようにして冷温水供給管１２の固定部材３４が形成されている。すなわち、前記各突起３０と断面コップ状をした凹部３１を備えた接地固定板３２とは、それぞれ交互に設けられると共に、これらが複数列に亘って配設されている。
【００２３】
そして、前記構成より成る固定部材３４の互いに近接する各突起３０の側壁面２７に、ポリエチレンより成る柔軟性を有する冷温水供給管１２の外周面部を摺接して下方へ押圧すると、前記小半円状のストッパー２８によって前記冷温水供給管１２の上方への離脱が阻止されて、ワンタッチで該冷温水供給管１２が動揺することなく直線状に狭着固定されると共に、前記冷温水供給管１２を屈曲する場合は、前記各突起３０の隅角部の湾曲面２６に、前記冷温水供給管１２の外周面部が摺接して、無理なく屈曲して挟着固定され、その後前記固定部材３４の上面に前記各突起３０間に挟着固定された冷温水供給管１２を埋込む、例えば熱伝導性のよいコンクリート等の被覆材３５が充填されて、該冷温水供給管１２は前記突起３０および凹部３１と共に埋め込まれて固定され、更に該被覆材３５はフローリング等のフロア材等の床パネル１９によって被覆されて床パネル装置Ｃが形成されている。
【００２４】
また、本発明床パネル装置を構成する固定部材３４は、特に限定する必要はないが、例えば５０〜１００ｃｍ程度、好ましくは９０ｃｍ巾の小巾の正方形の固定部材３４とし、施工現場の広さに応じて、適宜固定部材３４を複数枚連結固定することにより、あらゆる施工現場の広さに対応できるよう形成されている。なお、前記固定部材３４を好ましい９０ｃｍ巾とした場合、該固定部材３４に形成される複数個の突起３０および接地固定板３２を交互に設けた列の数は、冷温水供給管１２の巾によって決定されるが、該冷温水供給管１２の巾が、１７ｍｍの場合、縦・横それぞれ９列とされる。
【００２５】
すなわち、図６示すように、複数個の突起３０および接地固定板３２を備える正方形に形成された各固定部材３４の、互いに相隣り合う二辺の最外方の列の各突起３０および接地固定板３２を連結部３６とすると共に、該連結部３６以外の他の二辺の最外方の列の各突起３０および接地固定板３２を被連結部３６ａとし、前記連結部３６のいずれか一辺を、他の固定部材３４の被連結部３６ａのいずれか一辺に重合固定して連結できるよう形成されており、前記連結部３６および被連結部３６ａをそれぞれ備えた固定部材３４を多数施工現場へ搬送し、施工現場の広さに応じて、前記連結部３６を被連結部３６ａに重合固定して連結して行くことにより、如何なる広さの施工現場へも対応できるので、工期の短縮と製造コストの低減化を図ることができるものである。
【００２６】
前記各固定部材３４の一端部に重合して連結する連結部３６は、図６の矢印で示すように、例えば９０ｃｍ巾の正方形の固定部材３４に正方形状の突起３０と接地固定板３２とが、交互に千鳥状に複数列に亘って形成されているが、該固定部材３４の４つの隅角部２５ａは突起３０を突設することなく平面状とし、該隅角部２５ａの次に接地固定板３２が設けられ、以下突起３０と接地固定板３２とが交互に形状され、更に、前記のように突起３０と接地固定板３２が複数列に亘って設けられた固定部材３４の四辺のうち、前記連結部３６を構成する互いに隣り合う二辺の最外方の列の各突起３０ａの空洞部２９の外径を、前記被連結部３６ａを構成する二辺の最外方の列の各突起３０ｂの外径よりやや大径に形成して、前記突起３０ａが突起３０ｂの上方より被冠固定できるように形成する一方、前記被連結部３６ａを構成する互いに隣り合う二辺の最外方の列の各接地固定板３２ａの内径を、前記被連結部３６ａを構成する他の二辺の最外方の列の各接地固定板３２ｂの内径よりやや小径に形成して、前記接地固定板３２ａが接地固定板３２ｂの上方より嵌合固定できるようにして、連結部３６がそれぞれ形成されている。
【００２７】
なお、前記固定部材３４の４つの隅角部２５ａは突起３０を突設することなく平面状とした理由は、該隅角部２５ａは、２枚の固定部材３４を連結固定する場合、連結部３６と被連結部３６ａとの共通重合部分であるので、例えば、各隅角部２５ａに突起３０ａと突起３０ｂのいずれか、または接地固定板３２ａと接地固定板３２ｂのいずれかを設けると、各隅角部２５ａにおいて、突起３０ａに被冠固定する突起３０ｂ、または接地固定板３２ａに嵌合固定する接地固定板３２ｂが必ずしも設置されないので、固定部材３４を連結固定することができないからである。
【００２８】
前記構成より成る連結部３６および被連結部３６ａを備えた固定部材３４の連結固定方法について、図７を用いて説明する。図７において、符号３４ａの固定部材は符号３４ｂ・３４c の固定部材に重合する固定部材、符号３４ｂの固定部材は符号３４ｄの固定部材に重合する固定部材、また符号３４ｃの固定部材は符号３４ｄ
の固定部材に重合する固定部材である。そして、例えば、図８に示すように、重合する側の固定部材３４ａの連結部３６を構成する最外方の列の各突起３０ａと接地固定板３２ａを、前記重合される側の固定部材３４ｂの被連結部３６ａの一辺の最外方の列の各突起３０ｂおよび接地固定板３２ｂに、上方からそれぞれ嵌合および嵌挿して圧接することにより、２枚の固定部材３４ａ・３４ｂは一体に重合固定されて連結される。そして更に、前記のように連結部３６側の各突起３０ａおよび接地固定板３２ａを被連結部３６ａの各突起３０ｂおよび接地固定板３２ｂに上方より嵌合および嵌挿して行くことにより、施工現場の設置場所の設置巾に合うまで、複数枚の固定部材３４を重合固定して連結して行くことができる。
【００２９】
前記構成より成る床放射冷暖房装置Ａにおける熱交換機３による冷水、または温水の生成メカニズムは、先ず、冷房時においては、一方のヒートポンプ室外機１で圧縮凝縮され、吐出されてくる冷媒は液状をなしており、冷媒往き配管３と熱交換機４との間に設置された電子膨張弁８に流入した後、前記熱交換機４で蒸発して気体（ガス状）となり、その蒸発潜熱で、該熱交換機４の水側を循環する水を冷却し、該冷却された水は還り送水管１６および還りヘッダー１５を経て冷温水供給管１２に流れ込んで循環し、前記床パネル装置Ｃの熱伝導性のよい被覆材３５を冷却し、更に該被覆材３５上の床パネル１９を冷却する。一方、前記気体となった冷媒は、冷媒還り配管７を通って前記一方のヒートポンプ室外機１に戻り、以下同様の動作を繰返して冷水を生成して、床パネル１９を冷却し、床放射により室内１８を冷房する。
【００３０】
次に、暖房時においては、一方のヒートポンプ室外機１で圧縮されて高温高圧となったガスは、前記熱交換機４で凝縮されて液体となり、その凝縮潜熱により、前記熱交換機４の水側を循環する水を加温し、該加温された水は還り送水管１６および還りヘッダー１５を経て冷温水供給管１２に流れ込んで循環し、前記床パネル装置Ｃの熱伝導性のよい被覆材３５を加温し、更に該被覆材３５上の床パネル１９を加温する。一方、前記液体となった冷媒は、冷媒還り配管７を通って前記ヒートポンプ室外機１に戻り、以下同様の動作を繰返して温水を生成して、床パネル１９を加温し、床放射により室内１８を暖房する。
【００３１】
前記他方のヒートポンプ室外機２と床下取付け型空調室内機２２を用いて床パネル１９と前記床パネル装置Ｃの通風路３３に冷風を送風する場合は、前記他方のヒートポンプ室外機２のコンプレッサー（図示せず）で冷媒を圧縮して温度を上げることにより、該他方のヒートポンプ室外機２のファン（図示せず）が前記冷媒によって熱くなった空気を外へ逃がして、前記他方のヒートポンプ室外機２で冷媒を膨張させて、周囲の熱を奪い冷媒を冷却する作用をするので、冷気が他方のヒートポンプ室外機２の冷媒の中へ入り込んで、該冷媒を冷却し、然る後、前記冷却した冷媒を前記床下取付け型空調室内機２２で蒸発することにより、前記冷媒は低温となり、その冷気を該床下取付け型空調室内機２２に備えられたファン（図示せず）を介して前記通風路３３に送風して、多数の接地固定板３２によって乱流させ前記床パネル装置Ｃの熱伝導性のよい被覆体３５を下面より冷却する冷房と、前記冷温水供給管１２による床放射冷房とを組合せて、室内１８を冷却すると共に、更に前記床パネル１９に開口された吹き出し口２４より前記通風路３２から室内１８に冷風を送風して冷房する。
【００３２】
次に、前記他方のヒートポンプ室外機２と床下取付け型空調室内機２２を用いて床パネル１９と床パネル装置Ｃ間の通風路３３に温風を送風する場合は、前記他方のヒートポンプ室外機２のコンプレッサー（図示せず）で冷媒を膨張させて温度を下げることにより、周囲の熱は他方のヒートポンプ室外機２の中の冷媒を暖める作用をするので、熱が他方のヒートポンプ室外機２の冷媒の中へ入り込んで、該冷媒を暖め、然る後、前記暖まった冷媒を前記床下取付け型空調室内機２２で凝縮することにより、前記冷媒は高温となり、その熱を該床下取付け型空調室内機２２に備えられたファン（図示せず）を介して前記通風路３３に送風して、多数の接地固定板３２によって乱流させて前記床パネル装置Ｃの熱伝導性のよい被覆体３５を下面より暖める暖房と、前記冷温水供給管１２による床放射暖房とを組合せて、室内１８を暖めると共に、更に前記床パネル１９に開口された吹き出し口２４より前記通風路３３から室内１８に温風を送風して、該室内１８を暖房する。
【符号の説明】
【００３３】
Ａ  床放射冷暖房装置
Ｂ  送風冷暖房装置
Ｃ  床パネル装置
１  一方のヒートポンプ室外機
２  他方のヒートポンプ室外機
３  冷媒往き配管
４  熱交換機
５  冷媒流入口
６  冷媒還流口
７  冷媒還り配管
８  電子膨張弁
９  注入口
１０  往き送水管
１１  往きヘッダー
１２  冷温水供給管
１３  膨張タンク
１４  循環ポンプ
１５  還りヘッダー
１６  還り送水管
１７  送水口
１８  室内
１９  床パネル
２０  冷媒往き配管
２１  スラブ
２２  床下取付け型空調室内機
２３  冷媒還り配管
２４  吹き出し口
２５  プレート
２５ａ  隅角部
２６  湾曲面
２７  側面
２８  ストッパー
２９  空洞部
３０  突起
３０ａ  連結部の突起
３０ｂ  被連結部の突起
３１  凹部
３２  接地固定板
３２ａ  連結部の接地固定板
３２ｂ  被連結部の接地固定板
３３  通風路
３４  固定部材
３５  被覆材
３６  連結部
３６ａ  被連結部
【図１】
0005639109.tif 000002
【図２】
0005639109.tif 000003
【図３】
0005639109.tif 000004
【図４】
0005639109.tif 000005
【図５】
0005639109.tif 000006
【図６】
0005639109.tif 000007
【図７】
0005639109.tif 000008
【図８】
0005639109.tif 000009